(57)【要約】      （修正有）【課題】コード式草刈機において、草刈部が透視できる飛散防止カバーを提供する。【解決手段】操作杆６の途中に止め付けられて草刈部１０の上方を覆うコード式草刈機の飛散防止カバーであって、この飛散防止カバーが、操作杆６を中に取り込んで放射状に延びるスポーク４を有してコード１１の回転軌跡をほぼ覆う円形フレーム１と、円形フレーム１の上方に被せる細かい目のネットで構成される遮断カバーとからなる。円形フレーム１は草刈部１０のほぼ上方を全面的に覆うものであるから、安全である。また、円形フレーム１に被せられる遮断カバーは細かい目のネットであるから、草刈り状態が視認できる上に軽量でもある。水田の畦等における草刈りにおいて水等の飛散を防止できるし、遮断カバーの装着が容易である。【選択図】図３
0003147503.tif 000002
【実用新案登録請求の範囲】
【請求項１】
操作杆の途中に止め付けられて草刈部の上方を覆うコード式草刈機の飛散防止カバーであって、この飛散防止カバーが、操作杆を中に取り込んで放射状に延びるスポークを有してコードの回転軌跡をほぼ覆う円形フレームと、円形フレームの上方に被せる細かい目のネットで構成される遮断カバーとからなることを特徴とするコード式草刈機の飛散防止カバー。
【請求項２】
遮断カバーがネットに代えて織布又は不織布からなるシートである請求項１のコード式草刈機の飛散防止カバー。
【請求項３】
遮断カバーが半割形状をしており、それぞれを円形フレームに装着して糸で縛って固定するものである請求項１又は２のコード式草刈機の飛散防止カバー。
【請求項４】
円形フレームが操作杆の軸方向及び前後角度が調整できるものである請求項１〜３いずれかのコード式草刈機の飛散防止カバー。
【請求項５】
円形フレームの周辺の一部が直線的に折曲できるもの又は切り欠かれたものである請求項１〜４いずれかのコード式草刈機の飛散防止カバー。
【考案の詳細な説明】
【技術分野】
【０００１】
本考案は、コード式草刈機において、刈り取った草屑が飛散するのを防止する飛散防止カバーに関するものである。
【背景技術】
【０００２】
携帯型の草刈機には、回転刃を用いるものとコードを用いるものとがある。このうち、コードを用いるものは、刈り取った草を細砕して後の拾集作業等を不要にするから（放置しておけばよい）、省力化につながるものとして重用されている。一方で、刈り取った草屑が飛散し、作業者に降り掛かって身体や衣服を汚すことが欠点でもある。また、小石や砂利の飛散も防止する必要がある。
【０００３】
このため、コード式草刈機では、草屑の飛散防止が不可欠であり、種々の飛散防止カバーが提案されている。下記特許文献１では、草刈部の上方に比較的面積の大きいカバーを取り付けているが、これによると、カバーによって草刈部が視認できず、安全性に問題がある。また、下記特許文献２では、草刈部の上方に回転カバーと固定カバーの両方を設けたものが示されているが、草刈りの状態が視認できないことは同じであるし、構造も複雑になる。
【特許文献１】特開２００３−１６９５１８号公報
【特許文献２】特開２００５−３２８７９２号公報
【考案の開示】
【考案が解決しようとする課題】
【０００４】
本考案は、草刈り状態が視認でき、しかも、取付け、取り外しが容易な飛散防止カバーを提供したものである。
【課題を解決するための手段】
【０００５】
このため、本考案は、請求項１に記載の、操作杆の途中に止め付けられて草刈部の上方を覆うコード式草刈機の飛散防止カバーであって、この飛散防止カバーが、操作杆を中に取り込んで放射状に延びるスポークを有してコードの回転軌跡をほぼ覆う円形フレームと、円形フレームの上方に被せる細かい目のネットで構成される遮断カバーとからなることを特徴とするコード式草刈機の飛散防止カバーを提供したものである。
【０００６】
加えて、本考案は、上記のカバーにおいて、請求項２に記載した、遮断カバーがネットに代えて織布又は不織布からなるシートである手段、請求項３に記載した、遮断カバーが半割形状をしており、それぞれを円形フレームに装着して糸で縛って固定するものである手段、請求項４に記載した、円形フレームが操作杆の軸方向及び前後角度が調整できるものである手段、請求項５に記載した、円形フレームの周辺の一部が直線的に折曲できるもの又は切り欠かれたものである手段を提供する。
【考案の効果】
【０００７】
請求項１の飛散防止カバーによると、円形フレームは草刈部のほぼ上方を全面的に覆うものであるから、安全である。また、円形フレームに被せられる遮断カバーは細かい目のネットであるから、草刈り状態が視認できる上に軽量でもある。請求項２の手段によると、水田の畦等における草刈りにおいて水等の飛散を防止できるし、請求項３の手段によると、遮断カバーの装着が容易である。請求項４の手段によると、飛散防止カバーを最適な状態で取り付けることができるし、請求項５の手段によると、壁際等の草刈りが綺麗にできる。
【考案を実施するための最良の形態】
【０００８】
以下、本考案の実施の形態を図面を参照して説明する。図１は本考案の飛散防止カバー（以下、カバーと称す）を構成する円形フレームの平面図、図２は図１のＡーＡ断面図であるが、この円形フレーム１は、中心リング２と外周リング３を放射状のスポーク４で連結したものである。このスポーク４は中心リング２と外周リング３とを一体化するものであり、強度を充足する限り、数は少なくてよい。また、スポーク４の外周縁は下方に湾曲しており、全体として高さが５０ｍｍ程度の笠のようになっており、扇風機のカバーを連想させるものである。なお、外周リング３の一部は直径方向に切り欠かれた溝５になっており、ここに草刈機の操作杆６を通すものである。
【０００９】
図３は円形フレーム１を操作杆６に取り付けた状態を示す側面図であるが、中心リング２の内部には取付金具７が設けられており、操作杆６を溝５に通して中に取り込み、操作杆６に取り付けられる装着具８に対してボルト９等で固定する。したがって、操作杵６に対する装着具８の位置を変えることで、円形フレーム１の前後位置が変えられ、ボルト９を締めるときに取付金具７の角度を変えることで角度も変えられるものとなる。いずれも、カバーの位置、姿勢を最適にするためである。
【００１０】
図４は以上の円形フレーム１を操作杆６に取り付けた状態の平面図であるが、この円形フレーム１は直径が５００〜６００ｍｍ程度の比較的大きな面積のもので、これを操作杆６に取り付けたとき、草刈部１０から延出したコード１１の回転軌跡をほぼ覆うものに設定される（この調整は装着具８の位置や取付金具７の角度を変えて行う）。本例の場合、中心リング２は切り欠かれていないから、中心リング２が操作杆６に当たる位置がもっとも後傾した姿勢であるが、操作杆６は前方が下がる斜めに設けられていることと、装着具８の前後位置は変えられることから、最も後傾させた姿勢でも、草刈部１０の上方をやや後傾した姿勢で覆うものになる（図３）。なお、強度を十分なものにすれば、中心リング２も溝５と連続して切り欠いていてもよい。
【００１１】
図５は円形フレーム１に遮断カバー１２を被せた状態の平面図であるが、この遮断カバー１２は細かい目のネット１２ａからなるもので半割をしている二つのものからなる。したがって、それぞれを円形フレーム１に対して側方から挿入し、二つ合わせて糸１３等で縛って固定する。このため、ネット１２ａの周辺に糸通し孔１４ａをあけておき、これに糸１３を通して縛る。この場合の糸１３は絞るだけで、敢えて結ぶ必要がない針金入りのナイロン紐等が好ましい。遮断カバー１２を全円のものにすると、操作杆６を通したりしなければならず、操作が面倒であるからである。また、後端にはエンジン（図示省略）が設けられているから、中心にそれを通せる孔をあけなければならず、カバーの用を果せないおそれがあるからである。図６はネット１２ａに変えて織布又は不織布といったシート１２ｂを装着したものであり、装着の仕方は前記と同じである（１４ｂは糸通し孔）。
【００１２】
以上のカバーを草刈部１０の上方で操作杆６に取り付けて草刈りを行うのであるが、コード１１で刈り取った草屑や跳ね飛ばした小石等が飛散して作業者に降り掛かろうとしても、面積の大きい遮断カバー１２がこれを遮り、作業者の身体や衣服に付着しない。これにおいて、遮断カバー１２はネット１２ａであるから、草刈りの状態も視認でき、安全性が増す。一方、水田の畦等における水がある部分では、ネットに変えて織布又は不織布のシート１２ｂを使用する。この場合、シート１２ｂは草刈部１０がある程度透けて見える構成のものが好ましい。こうすることで、水が作業者に降り掛かるのが防止できる。
【００１３】
図７は円形フレーム１の他の例を示す平面図であるが、本例のものは、円形フレーム１の周辺の一部を直線的にカットしたものである。こうすると、壁や塀に沿う際刈りが綺麗にできる。なお、カットに変えて折曲するようにしてもよい。この場合は、境界部に蝶番（図示省略）等を設けて折曲できるようにしておき、常時は開いておき、際刈りのときに折曲するようにすれば、両方ができるものとなる（遮断カバー１２もこれに沿った形状にする）。
【図面の簡単な説明】
【００１４】
【図１】円形フレームの平面図である。
【図２】図１のＡーＡ断面図である。
【図３】円形フレームを操作杆に取り付けた状態の側面図である。
【図４】円形フレームを操作杆に取り付けた状態の平面図である。
【図５】円形フレームに遮断カバーを被せた状態の平面図である。
【図６】円形フレームに他の遮断カバーを取り付けた状態の平面図である。
【図７】円形フレームの他の例を示す平面図である。
【符号の説明】
【００１５】
１      円形フレーム
２      中心リング
３      外周リング
４      スポーク
５      溝
６      操作杆
７      取付金具
８      装着具
９      ボルト
１０    草刈部
１１    コード
１２    遮断カバー
１２ａ  ネット
１２ｂ  シート
１３    糸
１４ａ  糸通し孔
１４ｂ  糸通し孔
【図１】
0003147503.tif 000003
【図２】
0003147503.tif 000004
【図３】
0003147503.tif 000005
【図４】
0003147503.tif 000006
【図５】
0003147503.tif 000007
【図６】
0003147503.tif 000008
【図７】
0003147503.tif 000009